(57)【特許請求の範囲】
【請求項１】
固定壁及び前記固定壁と対向する可動壁とのうちの一方である第１壁に取り付けられた表示装置であって、
前記固定壁と前記可動壁とのうちの他方である第２壁に向かって延び、かつ、前記第２壁に進退可能に当接される当接部と、第１表示部及び第２表示部を有するインジケータと、前記第１及び第２表示部のうちの一方のみを露出させる表示窓と、開口と、操作具とを有し、
前記固定壁と前記可動壁との対向状態において、前記表示窓から前記第１表示部が露出しており、
対向状態において、前記開口から前記操作具を挿入して前記インジケータを可動すると、前記第２表示部が前記表示窓から露出し、前記表示窓から前記第２表示部が露出されている状態において、前記固定壁および前記可動壁を対向状態から非対向状態にすると、前記表示窓から前記第１表示部が露出し、その後、前記固定壁および前記可動壁を非対向状態から対向状態にしても前記表示窓から前記第１表示部が露出した状態が維持されることを特徴とする表示装置。
【請求項２】
縦方向と横方向と前後方向とを有し、前記開口及び前記表示窓を備える筐体と、
前記筐体との間で内部空間を画定する蓋と、
前記当接部を先端に有する軸部材とを備え、
前記軸部材と前記蓋との間には、前記当接部が前記内部空間から突出するように付勢する第１バネを配置してある請求項１に記載の表示装置。
【請求項３】
前記インジケータを有する表示板をさらに備え、
前記表示板は、前記横方向に離隔する一対の凹部をさらに有し、
前記開口は、前記縦方向へ延びる第１延出孔と、前記第１延出孔の一方の端部に位置して前記横方向へ延びる第２延出孔と、前記第１延出孔の他方の端部に位置して前記横方向へ延びる第３延出孔とによって画定され、
前記操作具は、前記一対の凹部に係合し、前記横方向へ離隔する一対の突出部と、前記一対の突出部を連結する連結部と、前記連結部の前記横方向の中央に位置する基端部とを有し、
前記表示窓から前記第１表示部が露出するときには、前記第２延出孔から前記一対の凹部が露出し、
前記表示窓から前記第２表示部が露出するときには、前記第３延出孔から前記一対の凹部が露出し、
前記表示窓から前記第２表示部を露出させるときには、前記第２延出孔に前記操作具の先端を挿入して前記操作具を前記縦方向へ移動させると前記基端部が前記第１延出孔を通過する請求項２に記載の表示装置。
【請求項４】
前記軸部材は、さらに径外方向へ分岐する係合凸部を有し、
前記表示板と前記筐体との間には、前記第１表示部が前記表示窓から露出するように前記表示板を付勢する第２バネを配置してあり、
前記表示板は空間部を有し、
前記表示板の前記空間部には、前記縦方向において互いに隣接する第１係合凹部及び第２係合凹部と、前記第１及び第２係合凹部を画定する隔壁部とを有し、前記横方向へ移動可能な移動部材を配置し、
前記第１係合凹部及び前記第２係合凹部のいずれか一方には、前記係合凸部が係合し、
前記移動部材と前記表示板との間には、前記移動部材が前記係合凸部に近接するように付勢する第３バネを配置し、
対向状態において、前記開口から前記操作具を挿入して前記第３バネの付勢力に抗して前記インジケータを可動したときには、前記係合凸部と前記第２係合凹部とが係合するとともに、前記表示窓から前記第２表示部が露出する請求項３に記載の表示装置。
【請求項５】
前記軸部材と前記蓋との間には、前記軸部材が前記横方向のみの移動するための係合板と、前記係合板に係合する係合凹部とを形成してある請求項４に記載の表示装置。
【請求項６】
前記係合凸部と前記隔壁部との少なくとも一方は、前記表示窓から前記第１表示部が露出している状態で前記操作具によって前記インジケータを可動するとき、傾斜する態様で当接する傾斜当接部を有する請求項４又は５に記載の表示装置。
【発明の詳細な説明】
【技術分野】
【０００１】
本発明は、表示装置に関する。
【背景技術】
【０００２】
従来、未許可の者が扉を開けたことを確認するとき、例えば、薬品を収容する薬品保管庫において、棚本体と扉とにわたってセキュリティシールを貼り、該セキュリティシールの変化によって、薬品保管庫の扉が開けられたか否かを確認していた。
【発明の概要】
【発明が解決しようとする課題】
【０００３】
しかしながら、上述したようにセキュリティシールの変化によって扉が開かれたか否かを確認すると、許可を受けた者によって扉が開かれたときでも、そのたびに新しいセキュリティシールを貼る作業が必要となるため、手間がかかる問題があった。
【０００４】
本発明が課題とするところは、許可を受けた者による操作であるときに手間のかからない表示装置を提供することにある。
【課題を解決するための手段】
【０００５】
前記課題を解決するための本発明が対象とするのは、固定壁及び前記固定壁と対向する可動壁とのうちの一方である第１壁に取り付けられた表示装置である。
【０００６】
この発明の特徴は、前記固定壁と前記可動壁とのうちの他方である第２壁に向かって延び、かつ、前記第２壁に進退可能に当接される当接部と、第１表示部及び第２表示部を有するインジケータと、前記第１及び第２表示部のうちの一方のみを露出させる表示窓と、開口と、操作具とを有し、前記固定壁と前記可動壁との対向状態において、前記表示窓から前記第１表示部が露出しており、対向状態において、前記開口から前記操作具を挿入して前記インジケータを可動すると、前記第２表示部が前記表示窓から露出し、前記表示窓から前記第２表示部が露出されている状態において、前記固定壁および前記可動壁を対向状態から非対向状態にすると、前記表示窓から前記第１表示部が露出し、その後、前記固定壁および前記可動壁を非対向状態から対向状態にしても前記表示窓から前記第１表示部が露出した状態が維持されることである。
【発明の効果】
【０００７】
本発明に係る表示装置によれば、対向状態において、操作具を開口から挿入してインジケータを可動したときのみ、第２表示部が表示窓から露出するため、セキリュティシールを貼り替えるような手間がかからない。しかも、対向状態において、表示窓から第２表示部を露出させておいた後、許可を受けない者が、固定壁と可動壁とを非対向状態とすれば、表示窓から第１表示部が露出するため、許可を受けない者による可動壁の移動を検出することができる。しかも、許可を受けない者は、操作具を有していないため、表示窓から第２表示部を露出させることができない。
【図面の簡単な説明】
【０００８】
【図１】本発明に係る第１実施形態の表示装置を有する引き出しと、引き出しを備える薬品棚の斜視図。
【図２】表示装置の正面図。
【図３】表示装置の分解斜視図。
【図４】図２の矢視ＩＶ−ＩＶ線切断面を示す断面図。
【図５】図４の矢視Ｖ−Ｖ線切断面を示す断面図。
【図６】表示板の正面図。
【図７】引き出しと棚本体とを非対向状態にしたときの斜視図。
【図８】軸部材の当接部が、内部空間に退行した状態における図５と同様の断面図。
【図９】軸部材の係合凸部と隔壁部とが当接状態を示す断面図。
【図１０】操作具によってインジケータを可動し、表示窓から第２表示部を露出させた状態における図４と同様の断面図。
【図１１】第２実施形態の表示装置の斜視図。
【図１２】第３実施形態の表示装置を有する観音扉と、観音扉を備える棚の斜視図。
【図１３】表示装置の正面図。
【図１４】表示装置を後面側から視た分解斜視図。
【図１５】表示装置を前面側から視た分解斜視図。
【図１６】図１３の矢視ＸＶＩ−ＸＶＩ線切断線を示す断面図。
【図１７】図１３の矢視ＸＶＩＩ−ＸＶＩＩ線切断線を示す断面図。
【図１８】固定壁及び可動壁が非対向状態にあるときの表示装置を示す断面図。
【図１９】固定壁及び可動壁が対向状態にあるときの表示装置の内部を示す説明図。
【図２０】図１９の矢視ＸＸ−ＸＸ線切断線を示す断面図。
【図２１】係合凸部と第２係合凹部とが係合しているときの表示装置の内部を示す説明図。
【図２２】図２１の矢視ＸＸＩＩ−ＸＸＩＩ線切断線を示す断面図。
【発明を実施するための形態】
【０００９】
添付の図面を参照し、この発明に係る表示装置の詳細を説明すると、以下のとおりである。また、以下の実施形態は、本発明の欠くことのできない要件を含む他に、選択的に採用することのできる要件及び適宜に組み合わせることのできる要件を含んでいる。
【００１０】
＜第１実施形態＞
図１は、この発明に係る第１実施形態の表示装置１０を有する引き出し１を備える薬品棚２を示す斜視図である。図１では、説明の便宜のため、薬品棚２が有する１つの引き出し１及びこの引き出し１に対向する棚本体２ａのみを実線で示してある。また、図１における双頭矢印Ｘ，Ｙ，Ｚは、薬品棚２及び表示装置１０における互いに交差（直交）する横方向Ｘと、縦方向Ｙと、前後方向Ｚとを示している。薬品棚２の各引き出し１には、図示省略するが、複数の薬品が保管されている。
【００１１】
薬品棚２は、棚本体２ａ側の固定壁４と、引き出し１側の可動壁５とを有している。薬品棚２は、図１に示すように、棚本体２ａの内部に引き出し１を収容したときには、固定壁４と可動壁５とが対向する対向状態となる一方、図７に示すように、棚本体２ａの内部から引き出し１を引き出したときには、固定壁４と可動壁５とが対向しない非対向状態となる。この実施形態では、引き出し１の可動壁５に表示装置１０を取り付けてある。
【００１２】
図２は、表示装置１０の正面図であり、図３は、表示装置１０の分解斜視図であり、図４は、表示装置１０の縦断面図であり、図５は、表示装置１０の横断面図（軸部材の当接部が、内部空間から進出した状態を示す断面図）である。なお、図４及び図５では、説明の省略のため、後記の取付具８０を省略してある。表示装置１０は、略直方体状であって、図３に示すように、筐体２０と、筐体２０との間で内部空間１１（図４を参照）を画定する蓋３０と、軸部材４０と、表示板５０と、移動部材６０と、後記の操作具７０と、オプションとして筐体２０及び蓋３０を可動壁５に取り付ける取付具８０とを備えている。
【００１３】
筐体２０は、矩形状の前面板２１と、前面板２１の周縁から後方へ向けて突出する４枚の側板２２ａ，２２ｂ，２２ｃ，２２ｄとを有している。前面板２１は、図２に示すように、矩形状の表示窓２３と開口２４とを有している。開口２４は、縦方向Ｙへ延びる第１延出孔２４ａと、縦方向Ｙにおいて、第１延出孔２４ａの一方の端部に配置して横方向Ｘへ延びる第２延出孔２４ｂと、第１延出孔２４ａの他方の端部に配置して横方向Ｘへ延びる第３延出孔２４ｃとによって画定される。図３に示すように、４枚の側板２２ａ，２２ｂ，２２ｃ，２２ｄのうち、縦方向Ｙにおいて互いに対向する一対の側板２２ａ，２２ｂは、蓋３０の一対の係合爪３５に係合する一対の係合孔２５を備えている。４枚の側板２２ａ，２２ｂ，２２ｃ，２２ｄのうち、横方向Ｘにおいて互いに対向する一対の側板２２ｃ，２２ｄの一方の側板２２ｃには、軸部材４０の当接部４４が貫通する切欠２６を形成してある。
【００１４】
蓋３０は、前後方向Ｚの寸法が小さい肉薄部３１と、肉薄部３１よりも前後方向Ｚの寸法が大きい肉厚部３２とを有している。肉厚部３２には、軸部材４０が横方向Ｘへのみスライド移動するように、軸部材４０の係合板（係合部）４３と係合する係合凹部３３と、横方向Ｘにおいて、係合凹部３３に隣接するように配置し、軸部材４０の軸部４１の一方の端部が貫通する貫通孔３４とを形成してある（図３〜５参照）。また、肉厚部３２の縦方向Ｙの両端には、筐体２０の係合孔２５に係合する一対の係合爪３５を形成してある（図４参照）。さらに、蓋３０の後面側には、前後方向Ｚにおいて、肉薄部３１を貫通して肉厚部３２の途中まで延びる一対のネジ孔３６を形成してある。
【００１５】
軸部材４０は、図３に示すように、横方向Ｘへ延びる軸部４１と、軸部４１から径外方向へ分岐する係合凸部４２と、軸部４１の長さ方向（横方向Ｘ）の途中に位置するとともに軸部４１と係合凸部４２とを連結し、蓋３０の係合凹部３３に係合する係合板４３とを有する。また、軸部４１の一方の先端には、筐体２０の内部空間１１から外部へ突出して、対向状態において、固定壁４に向かって延び、かつ、固定壁４に対して進退可能に当接される当接部４４を形成してある。軸部材４０の係合板４３と蓋３０の肉厚部３２との間には、図５に示すように、当接部４４が、筐体２０の内部空間１１から外部へ突出するように付勢する第１バネ１２を配置してある。
【００１６】
表示板５０は、前後方向Ｚにおいて、筐体２０と蓋３０との間の内部空間１１に配置してある（図４及び図５参照）。より具体的には、表示板５０は、縦方向Ｙへ移動可能な態様で内部空間１１に配置してある。表示板は、図６に示すように、その前面側における縦方向Ｙの一方の端部には、赤色に着色された第１表示部５１と、縦方向Ｙにおいて第１表示部５１と隣接するように配置され、緑色に着色された第２表示部５２とを有するインジケータ５３を備えている。さらに、表示板５０の縦方向Ｙの他方の端部には、図４に示すように、インジケータ５３よりも後面側に位置する段部５４と、前後方向Ｚにおいて、インジケータ５３と段部５４との間に位置する側壁５７とを有している。表示板５０における段部５４の前面側には、横方向Ｘへ離隔し、前面側から後面側へ向けて凹む一対の凹部５４ａ，５４ｂを形成してある（図２及び図６参照）。また、表示板５０の後面側には、空間部５５を形成してある。表示板５０の横方向Ｘにおける両側縁には、外方から内方へ向けて凹む凹部５６を形成してあり、図４に示すように、表示板５０の凹部５６と、筐体２０の側板２２ｂとの間には、表示板５０を縦方向Ｙの一方の端部（図４における上方側）へ付勢する第２バネ１３を配置してある。
【００１７】
移動部材６０は、図３に示すように、表示板５０の空間部５５に、横方向Ｘへスライド移動可能な態様で配置してある。移動部材６０は、縦方向Ｙにおいて互いに対向する第１壁６９ａ，６９ｂと、第１壁６９ａ，６９ｂの前方側に位置し、これら第１壁６９ａ，６９ｂを連結する第２壁６９ｃと、横方向Ｘにおいて係合凸部４２から離れた第１壁６９ａ，６９ｂの側部を連結する第３壁６９ｄとを有する。また、移動部材６０は、縦方向Ｙにおいて隣接する第１係合凹部６１及び第２係合凹部６２と、第１係合凹部６１及び第２係合凹部６２を、壁６９ａ，６９ｂ，６９ｃ，６９ｄと協働で画定する隔壁部６３とを有し、隔壁部６３が存在する隔壁存在領域６４ａを、横方向Ｘにおいて第３壁６９ｄ（切欠２６を有さない側板２２ｄ）が位置する一方側に有し（図５参照）、横方向Ｘにおいて、切欠２６を有する側板２２ｃが位置する他方側に、隔壁部６３が存在しない隔壁非存在領域６４ｂを有している。第１係合凹部６１及び第２係合凹部６２のいずれか一方には、軸部材４０の係合凸部４２が係合する。表示板５０と移動部材６０との間には、隔壁部６３が切欠２６を有する側板２２ｃに近接するように移動部材６０を付勢する第３バネ１４を配置してある。図５に示すように、第３バネ１４の付勢力によって移動部材６０が横方向Ｘの一方の端部に配置された状態であっても、係合凸部４２は、隔壁非存在領域６４ｂのみに位置している。
【００１８】
操作具７０は、図８に示すように、表示板５０の一対の凹部５４ａ，５４ｂに係合し、横方向Ｘへ離隔する一対の突出部７１ａ，７１ｂと、一対の突出部７１ａ，７１ｂを連結する連結部７２と、連結部７２の横方向Ｘの中央に位置する基端部７３とを有している。この操作具７０は、許可を受けた者のみが有している。
【００１９】
取付具８０は、図３に示すように、筐体２０の一対の側板２２ａ，２２ｂを覆う第１被覆部８１ａ，８１ｂと、蓋３０の後面側を覆う第２被覆部８２とを有し、一対の貫通孔８４を有する取付板８３と、貫通孔８４に先端を通過させて蓋３０の一対のネジ孔３６にそれぞれ締結する２本のネジ８５とを有している。
【００２０】
このような表示装置１０は、可動壁５が有する不図示の貫通孔と、取付板８３の貫通孔８４とに、ネジ８５の先端を通過させた後、ネジ８５とネジ孔３６とを締結させることによって可動壁５に取り付ける。
【００２１】
この表示装置１０において、棚本体２ａから引き出し１が引き出された状態を図７に示す。棚本体２ａは、横方向Ｘにおいて互いに対向する一対の側壁６ａ，６ｂと、引き出し１を棚本体２ａから進退させるための開口７を形成するための一対の側壁６ｃ，６ｄとを有している。側壁６ｃには、前方側から後方向側へ向けて側壁６ｂとの離隔寸法が徐々に小さくなる傾斜板１５を設けてある。棚本体２ａの内部から引き出し１が引き出されることによって、固定壁４と可動壁５とが非対向状態であるときには、図２及び図５に示すように、第１バネ１２の付勢力によって、内部空間１１から当接部４４が進出した状態となる。この状態では、表示板５０は、第３バネ１４の付勢力によって、縦方向Ｙにおいて、側板２２ａが位置する一方の端部（上方）側に配置され、表示窓２３から第１表示部５１が露出し、第２延出孔２４ｂから一対の凹部５４ａ，５４ｂが露出する。また、この状態では、第３バネ１４の付勢力によって、移動部材６０は、横方向Ｘにおける当接部４４が位置する一方の端部側（切欠２６を有する側板２２ｃ側）に配置される。さらに、この状態では、軸部材４０の係合凸部４２と、移動部材６０の第１係合凹部６１とが係合している。
【００２２】
この状態（非対向状態）から、引き出し１を棚本体２ａの後方側へ押していくと、棚本体２ａに設けた傾斜板１５に当接部４４が当接し、さらに、引き出し１を棚本体２ａの後方側へ押してゆくと、やがて、図１に示すように、棚本体２ａの内部に引き出し１が収容され、可動壁５と固定壁４とが対向状態となる。可動壁５と固定壁４とが対向状態となると、図８に示すように、第１バネ１２の付勢力に抗して、当接部４４が筐体２０の内部空間１１に退行し、係合凸部４２の先端は隔壁存在領域６４ａに位置することとなる。この状態においても、表示板５０は、第２バネ１３の付勢力によって、縦方向Ｙにおける側板２２ａが位置する一方の端部（上方）側に配置されており、表示窓２３から第１表示部５１が露出している。
【００２３】
この対向状態において、操作具７０の突出部７１ａ，７１ｂを、第２延出孔２４ｂに挿入して、表示板５０の一対の凹部５４ａ，５４ｂと、操作具７０の一対の突出部７１ａ，７１ｂとを係合させた後、操作具７０を縦方向Ｙの下方側へ移動させると、操作具７０の基端部７３は、開口２４の第２延出孔２４ｂから第１延出孔２４ａを通過した後、第３延出孔２４ｃまで移動する。また、このように操作具７０を移動させると、図９に示すように、軸部材４０の係合凸部４２（係合凸部４２の先端に位置する傾斜当接部４２ａ）と、移動部材６０の隔壁部６３とが当接し、第３バネ１４の付勢力に抗して移動部材６０が、横方向Ｘにおいて、切欠２６を形成してある側板２２ｃから離れる方向へ移動するとともに、係合凸部４２の先端は、隔壁存在領域６４ａから隔壁非存在領域６４ｂへ向けて移動し、その後、係合凸部４２が隔壁部６３を乗り越えると、第３バネ１４の付勢力によって、移動部材６０が切欠２６を形成してある側板２２ｃに近接するように移動（隔壁非存在領域６４ｂから隔壁存在領域６４ａへ移動）して係合凸部４２と第２係合凹部６２とが係合するとともに、表示窓２３から第２表示部５２が露出し、開口２４の第３延出孔２４ｃから、表示板５０の凹部５４ａ，５４ｂが露出することとなる。この状態において、表示板５０の凹部５４ａ，５４ｂと、操作具７０の突出部７１ａ，７１ｂとの係合を解除して操作具７０を表示装置１０の開口２４から抜き出しても、当接部４４と固定壁４の傾斜板１５とが当接しているため、軸部材４０は内部空間１１に退行した状態を維持し、かつ第３バネ１４の付勢力によって移動部材６０は切欠２６を形成してある側板２２ｃに接近するように付勢されているため、係合凸部４２が隔壁部６３を乗り越えることが規制されて係合凸部４２と第２係合凹部６２との係合が維持され、表示窓２３から第２表示部５２を露出した状態が維持される。
【００２４】
表示窓２３から第２表示部５２が露出されている状態において、棚本体２ａから引き出し１を引き出して非対向状態にすると、第１バネ１２の付勢力によって、軸部材４０の当接部４４が内部空間１１から進出し、係合凸部４２が、隔壁存在領域６４ａから隔壁非存在領域６４ｂへ移動するため、係合凸部４２と第２係合凹部６２との係合が解除され、第２バネ１３の付勢力によって表示板５０が上方へ移動した後、表示板５０は、筐体２０の側板２２ａに当接し、表示窓２３から第１表示部５１が露出するとともに、開口２４の第２延出孔２４ｂから表示板５０の凹部５４ａ，５４ｂが露出することとなる。
【００２５】
この実施形態の表示装置１０によれば、可動壁５と固定壁４との対向状態において、許可を受けた者のみが有する操作具７０を開口２４から挿入してインジケータ５３を可動したときのみ、第２表示部５２を表示窓２３から露出させることができるため、セキュリティシールを貼り替えるような手間がかからない。しかも、対向状態において、表示窓２３から第２表示部５２を露出させておいた後、許可を受けない者が、棚本体２ａから引き出し１を引き出し、固定壁４と可動壁５とを非対向状態とすれば、表示窓２３から第１表示部５１が露出するため、許可を受けない者による引き出し１の移動（可動壁５の移動）を検出することができる。しかも、許可を受けない者は、操作具７０を有していないため、表示窓２３から第２表示部５２を露出させることができない。
【００２６】
また、軸部材４０と蓋３０との間には、当接部４４が内部空間１１から突出するように軸部材４０を付勢する第１バネ１２を配置してあるため、非対向状態において、当接部４４を内部空間１１から確実に突出させることができる。
【００２７】
さらに、表示板５０は、横方向Ｘへ離隔する一対の凹部５４ａ，５４ｂを有し、開口２４は、縦方向Ｙへ延びる第１延出孔２４ａと、第１延出孔２４ａの一方の端部に位置して横方向Ｘへ延びる第２延出孔２４ｂと、第１延出孔２４ａの他方の端部に位置して横方向Ｘへ延びる第３延出孔２４ｃとによって画定され、操作具７０は、一対の凹部５４ａ，５４ｂに係合する一対の突出部７１ａ，７１ｂと、突出部７１ａ，７１ｂの間に位置する基端部７３とを有し、表示窓２３から第２表示部５２を露出させるとき、第２延出孔２４ｂに操作具７０の先端を挿入して操作具７０を縦方向Ｙへ移動させると基端部７３が第１延出孔２４ａを通過するため、ドライバー等の通常の工具を凹部５４ａ，５４ｂに挿入し、その工具を縦方向Ｙへ移動させようとしても第２延出孔２４ｂの周縁に工具が接触するため、工具を縦方向Ｙへ移動させることができない。よって、通常の工具を使用したときには、インジケータ５３を可動して第２表示部５２を表示窓２３から露出させることができない。
【００２８】
また、表示板５０と筐体２０との間には、第１表示部５１が表示窓２３から露出するように表示板５０を付勢する第２バネ１３を配置してあるため、表示窓２３から露出する第１表示部５１が妄りに変わるのを防止することができる。
【００２９】
さらに、軸部材４０と蓋３０との間には、軸部材４０が横方向のみの移動するための係合板４３と、係合板４３に係合する係合凹部３３とを形成してあるため、軸部材４０の横方向Ｘへの移動を円滑にすることができる。
【００３０】
係合凸部４２は、表示窓２３から第１表示部５１が露出している状態で操作具７０によってインジケータ５３を可動するとき、隔壁部６３に対して傾斜する態様で当接する傾斜当接部４２ａを有するため、表示窓２３から第２表示部５２を露出させる際の操作具７０の移動を円滑にすることができる。なお、図示省略するが、係合凸部４２に傾斜当接部４２ａを形成せずに、第１係合凹部６１における隔壁部６３に傾斜当接部を形成してもよいし、係合凸部４２及び隔壁部６３のそれぞれに傾斜当接部を形成してもよい。
【００３１】
＜第２実施形態＞
図１１は、第２実施形態の表示装置１０の斜視図である。なお、説明の重複を避けるため、第１実施形態の表示装置１０と異なる部分のみを説明する。本実施形態の表示装置１０では、第１実施形態の表示装置１０における取付具８０の代わりに、筐体２０にアーム部８６ａ，８６ｂを形成する一方、可動壁５に、アーム部８６ａ，８６ｂの先端に位置する係合爪８７ａ，８７ｂに係合する不図示の係合穴を形成してある。
【００３２】
アーム部８６ａ，８６ｂは、筐体２０の側板２２ａ，２２ｂの横方向Ｘの両側部に、互いに離隔するように配置してあり、前後方向Ｚにおいて、後方側から前方側へ向けて延び、後方側の基端部８８ａ，８８ｂが、筐体２０の側板２２ａ，２２ｂにつながる一方、係合爪８７ａ，８７ｂを有する先端部８９ａ，８９ｂは、縦方向Ｙに弾性変形可能である。本実施形態の表示装置１０は、アーム部８６ａ，８６ｂの先端部８９ａ，８９ｂを弾性変形させて、係合爪８７ａ，８７ｂと可動壁５の係合穴とを係合させることによって、表示装置１０を可動壁５に取り付ける。
【００３３】
また、第１及び第２実施形態には、棚本体２ａと引き出し１とを備える薬品棚２が、表示装置１０を備えるもので説明したが、表示装置１０は、例えば、消火器等の機器を収容し、容器本体と扉を有する箱、現金等の貴重品を輸送し、蓋と、本体とを有する鞄等にも用いることができる。
【００３４】
＜第３実施形態＞
図１２は、この発明に係る第３実施形態の表示装置１０を有する棚２を示す斜視図である。棚２は、横方向Ｘの両端部に位置し、縦方向Ｙへ延びる軸３ｘを中心に旋回し、棚本体２ａの前面側に位置する開口８ａ，８ｂを開閉する観音扉３ａ（３），３ｂ（３）を有している。
【００３５】
棚２は、棚本体２ａの前面側における横方向Ｘの中央に取り付けた柱である固定壁４と、観音扉３ａ，３ｂである可動壁５とを有している。図１２では、説明の便宜のため、棚２が有する２つの観音扉３ａ，３ｂと固定壁４、及び観音扉３ａ，３ｂに取り付けた表示装置１０のみを実線で示してある。棚２は、図１２の右側に示すように、棚本体２ａに対して観音扉３ａを閉めたときには、横方向Ｘにおいて、固定壁４と可動壁５とが対向する対向状態となる一方、図１２の左側に示すように、棚本体２ａに対して観音扉３ｂを開けたときには、横方向Ｘにおいて、固定壁４と可動壁５とが対向しない非対向状態となる。この実施形態では、観音扉３ａ，３ｂである可動壁５に表示装置１０を取り付けた例を示したが、固定壁４等の棚本体２ａに表示装置１０を取り付けてもよい。また、図１２中、閉めた観音扉３ａに取り付けた表示装置１０ａ（１０）と、開いた観音扉３ｂに取り付けた表示装置１０ｂ（１０）とは、同一の機構を有しているが、表示装置１０の横方向Ｘの寸法を二等分する仮想中心線に対して対称となるように形成されている。以下の説明では、閉じた観音扉３ａに取り付けた表示装置１０ａを説明する。さらに、図１２中、横方向Ｘの右側に位置する表示装置１０ａは、前後方向Ｚにおいて、固定壁４と、閉じている観音扉３ａとの前方に位置しているが、観音扉３ａのみに取り付けられており、固定壁４に対しては、軸３ｘを中心に移動可能であって、図示の状態では、軸部材４０の当接部４４が固定壁４の前面に当接している。一方、図１２中、横方向Ｘの左側に位置する表示装置１０ｂは、開いている観音扉３ｂに取り付けられており、軸部材４０の当接部４４は内部空間１１から突出しているが、観音扉３ｂが閉じたときには、軸部材４０の当接部４４が固定壁４の前面に当接する。
【００３６】
図１３は、表示装置１０ａの正面図であり、図１４は、後面側から視た表示装置１０ａの分解斜視図であり、図１５は、前面側から視た表示装置１０ａの分解斜視図であり、図１６は、図１３の矢視ＸＶＩ−ＸＶＩ線断面図であり、図１７は、図１３の矢視ＸＶＩＩ−ＸＶＩＩ線断面図である。表示装置１０ａは、略直方体状であって、図１４及び図１５に示すように、筐体２０と、筐体２０との間で内部空間１１を画定する蓋３０と、軸部材４０と、表示板５０と、移動部材６０と、第１実施形態の表示装置１０と同一の操作具７０（不図示）とを備えている。
【００３７】
筐体２０は、矩形状の前面板２１と、前面板２１の周縁から後方へ向けて突出する４枚の側板２２ａ，２２ｂ，２２ｃ，２２ｄとを有している。筐体２０は、側板２２ｃとともに軸部材４０の係合部４３と係合し、軸部材４０の前後方向Ｚへの移動を案内する案内部２７を画定する壁部２７ａと、側板２２ｄとともに表示板５０の縦方向Ｙの移動を案内する案内部２８を画定する壁部２８ａとを有している。４枚の側板２２ａ，２２ｂ，２２ｃ，２２ｄのうち、縦方向Ｙにおいて互いに対向する一対の側板２２ａ，２２ｂは、係合孔２５を備えている。前面板２１は、図１３に示すように、第１実施形態の表示装置１０と同一の表示窓２３と開口２４とを有している。
【００３８】
.
蓋３０は、図１４及び図１５に示すように、正面視が正方形の板状の蓋本体３０ａと、蓋本体３０ａの前面から前方側へ向けて突出し、筐体２０の３枚の側板２２ａ，２２ｂ，２２ｄにそれぞれ対向する対向部３７ａ，３７ｂ，３７ｄとを有している。蓋本体３０ａは、軸部材４０の当接部４４を有する一方の端部が貫通する貫通孔３８を有している。対向部３７ａ，３７ｂは、側板２２ａ，２２ｂの係合孔２５に係合する係合爪３５をそれぞれ有している。
【００３９】
軸部材４０は、前後方向Ｚへ延びる軸部４１と、軸部４１から径外方向へ延びる係合凸部４２と、軸部４１と係合凸部４２との間に位置する係合部４３とを有する。軸部４１の一方の先端には、筐体２０の内部空間１１から外部へ突出して、対向状態において、固定壁４に向かって延び、かつ、固定壁４に対して進退可能に当接される当接部４４を形成してある。軸部４１の他方の端部には、後面側から前面側へ向けて凹む凹部４５を形成してある。筐体２０の前面板２１と、軸部４１の凹部４５との間には、当接部４４が、内部空間１１から外部へ突出するように付勢する第１バネ１２を配置してある。
【００４０】
表示板５０は、前後方向Ｚにおいて、筐体２０と蓋３０との間の内部空間１１に配置してある（図１７参照）。より具体的には、表示板５０は、縦方向Ｙへ移動可能な態様で内部空間１１に配置してある。表示板５０は、図１５に示すように、第１表示部５１と、第２表示部５２とを有するインジケータ５３を備えている。さらに、表示板５０の縦方向Ｙの他方の端部には、インジケータ５３よりも後面側に位置する段部５４と、前後方向Ｚにおいて、インジケータ５３と段部５４との間に位置する側壁５７とを有している。表示板５０における段部５４の前面側には、横方向Ｘへ離隔し、前面側から後面側へ向けて凹む一対の凹部５４ａ，５４ｂを形成してある（図１３及び図１８参照）。また、表示板５０の後面側には、空間部５５を形成してある（図１４参照）。表示板５０の縦方向Ｙの一方の端部（下端部）には、下方から上方へ向けて凹む凹部５６を形成してあり（図１９〜２２参照）、表示板５０の凹部５６と、筐体２０の側板２２ｂとの間には、表示板５０を縦方向Ｙの一方の端部（図１５，図１９における上方側）へ付勢する第２バネ１３を配置してある。
【００４１】
移動部材６０は、図１７に示すように、表示板５０の空間部５５に、横方向Ｘへスライド移動可能な態様で配置してある。移動部材６０は、図１４に示すように、縦方向Ｙにおいて互いに対向する第１壁６９ａ，６９ｂと、第１壁６９ａ，６９ｂの前方側に位置し、これら第１壁６９ａ，６９ｂを連結する第２壁６９ｃと、第１壁６９ａ，６９ｂの横方向Ｘの側部を連結する第３壁６９ｄとを有する。また、移動部材６０は、縦方向Ｙにおいて隣接する第１係合凹部６１及び第２係合凹部６２と、第１係合凹部６１及び第２係合凹部６２を、壁６９ａ，６９ｂ，６９ｃと協働で画定する隔壁部６３とを有する。図１２の右側に示すように、固定壁４と可動壁５とが対向状態であり、当接部４４が退行した状態にあって内部空間１１の内部に位置したときには、前後方向Ｚにおいて、軸部材４０の係合凸部４２が前方側に位置し、第１係合凹部６１及び第２係合凹部６２のいずれか一方に係合凸部４２が係合する一方、図１２の左側に示すように、固定壁４と可動壁５とが非対向状態であり、当接部４４が貫通孔３８から後方側へ進出したときには、係合凸部４２が後方側に位置し、第１係合凹部６１及び第２係合凹部６２と、係合凸部４２との係合が解除される。表示板５０と移動部材６０との間には、案内部２７を画定する側板２２ｃに近接するように移動部材６０を付勢する第３バネ１４を配置してある。
【００４２】
操作具７０は、第１実施形態と同一であって、一対の突出部７１ａ，７１ｂと、連結部７２と、基端部７３とを有している。
【００４３】
このような表示装置１０は、例えば、前後方向Ｚの後面側に取り付けた不図示の両面テープ、接着剤等の取付具を介して観音扉３ａ，３ｂに取り付けてある。
【００４４】
この表示装置１０ａにおいて、図１２の左側に示すように、棚本体２ａに対して観音扉３を開き、固定壁４と可動壁５を非対向状態としたときの表示装置１０ａの縦断面図を図１８に示す。なお、図１８〜図２２では、説明の便宜のため、蓋３０を省略してある。
【００４５】
固定壁４と可動壁５とが非対向状態であるときには、第１バネ１２の付勢力によって、内部空間１１から当接部４４が進出し、当接部４４の先端が筐体２０の後面から離れた状態となる。この状態では、表示板５０は、第３バネ１４の付勢力によって、縦方向Ｙにおける一方の端部（上方）側に配置され、表示窓２３から第１表示部５１（赤色）が露出し、第２延出孔２４ｂから一対の凹部５４ａ，５４ｂが露出する。また、この状態では、図１７に示すように、第３バネ１４の付勢力によって、移動部材６０は、横方向Ｘにおいて、案内部２７を画定する側板２２ｃに近接する側に配置される。この状態では、軸部材４０の係合凸部４２が前後方向Ｚの後方側に位置し、係合凸部４２と、移動部材６０の第１係合凹部６１及び第２係合凹部６２との係合が解除されている。
【００４６】
この状態から、観音扉３を前方側から後方側へ押していくと、棚本体２ａに設けた柱（固定壁４）に当接部４４が当接し、さらに、観音扉３を棚本体２ａの後方側へ押してゆくと、やがて、図１２の右側に示すように、棚本体２ａに対して観音扉３ａが閉まり、可動壁５と固定壁４とが対向状態となる。可動壁５と固定壁４とが対向状態となると、図１９及び図２０に示すように、第１バネ１２の付勢力に抗して、当接部４４の基端側が筐体２０の内部空間１１に退行し、当接部４４の先端が筐体２０に近接し、前後方向Ｚにおいて、軸部材４０の係合凸部４２が後面側から前面側に移動し、係合凸部４２と第１係合凹部６１とが係合することとなる。この状態においても、表示板５０は、第２バネ１３（第３バネ１４）の付勢力によって、縦方向Ｙにおける一方の端部（上方）側に配置されており、表示窓２３から第１表示部５１（赤色）が露出している。
【００４７】
この対向状態において、操作具７０の突出部７１ａ，７１ｂを、第２延出孔２４ｂに挿入して、表示板５０の一対の凹部５４ａ，５４ｂと、操作具７０の一対の突出部７１ａ，７１ｂとを係合させた後、操作具７０を縦方向Ｙの下方側へ移動させると、操作具７０の基端部７３は、開口２４の第２延出孔２４ｂから第１延出孔２４ａを通過した後、第３延出孔２４ｃまで移動する。また、このように操作具７０を移動させると、軸部材４０の係合凸部４２と、移動部材６０の隔壁部６３とが当接し（図１９参照）、第３バネ１４の付勢力に抗して移動部材６０が、横方向Ｘにおいて、案内部２７を画定する側板２２ｃから離れる方向へ移動し、その後、図２１に示すように、係合凸部４２が隔壁部６３を乗り越えると、第３バネ１４の付勢力によって、移動部材６０が、案内部２７を画定する側板２２ｃに近接するように移動し、係合凸部４２と第２係合凹部６２とが係合するとともに、図２２に示すように、表示窓２３から第２表示部５２（緑色）が露出し、開口２４の第３延出孔２４ｃから、表示板５０の凹部５４ａ，５４ｂが露出することとなる。この状態において、表示板５０の凹部５４ａ，５４ｂと、操作具７０の突出部７１ａ，７１ｂとの係合を解除して操作具７０を表示装置１０ａの開口２４から抜き出しても、当接部４４と、固定壁４である柱とが当接しているため、軸部材４０の基端部が内部空間１１に退行した状態を維持し、かつ第３バネ１４の付勢力によって移動部材６０は、案内部２７を画定する側板２２ｃに接近するように付勢されて係合凸部４２が隔壁部６３を乗り越えて第１係合凹部６１へ移動することが規制されているため、係合凸部４２と第２係合凹部６２との係合が維持され、表示窓２３から第２表示部５２を露出した状態が維持される。
【００４８】
表示窓２３から第２表示部５２が露出されている状態において、棚本体２ａに対して観音扉３を開いて非対向状態にすると、第１バネ１２の付勢力によって、軸部材４０の当接部４４が内部空間１１から進出し、図２２において仮想線で示すように、軸部材４０の係合凸部４２が後方側へ移動すると、係合凸部４２と第２係合凹部６２との係合が解除され、図１８に示すように、第２バネ１３の付勢力によって表示板５０が上方へ移動した後、表示板５０は、筐体２０の側板２２ａに当接してもとの状態に復帰する。この状態では、表示窓２３から第１表示部５１（赤色）が露出するとともに、開口２４の第２延出孔２４ｂから表示板５０の凹部５４ａ，５４ｂが露出することとなる。
【００４９】
その後、第三者が観音扉３を開いたり閉じたりしても、当接部４４及び係合凸部４２を有する軸部材４０が前後方向Ｚへ移動するだけであり、表示板５０を縦方向Ｙへ移動することができないため、表示窓２３から露出するインジケータ５３の表示を変えることができない。また、第三者は、操作具７０を有していないため、表示窓２３から露出するインジケータ５３の表示を変えることができない。
【００５０】
第３実施形態の表示装置１０によれば、可動壁５と固定壁４との対向状態において、操作具７０を開口２４から挿入してインジケータ５３を可動したときのみ、第２表示部５２を表示窓２３から露出させることができるため、セキュリティシールを貼り替えるような手間がかからない。しかも、対向状態において、表示窓２３から第２表示部５２を露出させておいた後、許可を受けない者が、棚本体２ａに対して観音扉３を開き、固定壁４と可動壁５とを非対向状態とすれば、表示窓２３から第１表示部５１が露出するため、許可を受けない者によって観音扉３が開かれたこと（可動壁５の移動）を検出することができる。しかも、許可を受けない者は、操作具７０を有していないため、表示窓２３から第２表示部５２を露出させることができない。
【００５１】
また、軸部材４０と筐体２０との間には、当接部４４が内部空間１１から突出するように軸部材４０を付勢する第１バネ１２を配置してあるため、非対向状態において、当接部４４を内部空間１１から確実に突出させることができる。
【００５２】
さらに、表示板５０は、横方向Ｘへ離隔する一対の凹部５４ａ，５４ｂを有し、開口２４は、縦方向Ｙへ延びる第１延出孔２４ａと、第１延出孔２４ａの一方の端部に位置して横方向Ｘへ延びる第２延出孔２４ｂと、第１延出孔２４ａの他方の端部に位置して横方向Ｘへ延びる第３延出孔２４ｃとによって画定され、操作具７０は、一対の凹部５４ａ，５４ｂに係合する一対の突出部７１ａ，７１ｂと、突出部７１ａ，７１ｂの間に位置する基端部７３とを有し、表示窓２３から第２表示部５２を露出させるとき、第２延出孔２４ｂに操作具７０の先端を挿入して操作具７０を縦方向Ｙへ移動させると基端部７３が第１延出孔２４ａを通過するため、ドライバー等の通常の工具を凹部５４ａ，５４ｂに挿入し、その工具を縦方向Ｙへ移動させようとしても第２延出孔２４ｂの周縁に工具が接触するため、工具を縦方向Ｙへ移動させることができない。よって、通常の工具を使用したときには、インジケータ５３を可動して第２表示部５２を表示窓２３から露出させることができない。
【００５３】
また、表示板５０と筐体２０との間には、第１表示部５１が表示窓２３から露出するように表示板５０を付勢する第２バネ１３を配置してあるため、表示窓２３から露出する第１表示部５１が妄りに変わるのを防止することができる。
【００５４】
さらに、軸部材４０と筐体２０との間には、軸部材４０が前後方向Ｚのみの移動するための係合部４３と、係合部４３に係合する案内部２７とを形成してあるため、軸部材４０の前後方向Ｚへの移動を円滑にすることができる。
【００５５】
係合凸部４２は、表示窓２３から第１表示部５１が露出している状態で操作具７０によってインジケータ５３を可動するとき、隔壁部６３に対して傾斜する態様で当接する傾斜当接部４２ａを有するため（図１９参照）、表示窓２３から第２表示部５２を露出させる際の操作具７０の移動を円滑にすることができる。なお、図示省略するが、係合凸部４２に傾斜当接部４２ａを形成せずに、第１係合凹部６１における隔壁部６３に傾斜当接部を形成してもよいし、係合凸部４２及び隔壁部６３のそれぞれに傾斜当接部を形成してもよい。
【００５６】
なお、第３実施形態の表示装置１０は、可動壁５である観音扉３ａ，３ｂの前面に取り付ける例を示したが、前後方向において観音扉３ａ，３ｂを貫通する孔を形成し、その孔に表示装置１０を取り付けてもよい。
【００５７】
また、第１〜第３実施形態には、固定壁４及び可動壁５のうちの可動壁５を第１壁とする一方、固定壁４を第２壁とし、第１壁である可動壁５に表示装置１０を取り付け、第２壁である固定壁４に進退可能に当接部４４が当接する例を示した。しかし、この発明はそれに限られず、固定壁４を第１壁とする一方、可動壁５を第２壁とし、第１壁である固定壁４に表示装置１０を取り付け、第２壁である可動壁５に進退可能に当接部４４が当接してもよい。
【００５８】
さらに、上記第１〜第３実施形態には、赤色に着色された第１表示部５１と、緑色に着色された第２表示部５２とを有するインジケータ５３を備える表示装置１０を説明した。しかし、この発明は、それに限られず、緑色に着色された第１表示部５１と、赤色に着色された第２表示部５２とを有するインジケータ５３を表示装置１０が備えてもよい。もちろん、第１表示部５１及び第２表示部５２の色は、他の色に適宜変更してもよい。
【００５９】
また、第３実施形態には、固定壁４である棚本体２ａと観音扉３（可動壁５）とを備える棚２が、表示装置１０を備えるもので説明したが、表示装置１０は、例えば、消火器等の機器を収容し、容器本体と扉を有する箱、現金等の貴重品を輸送し、蓋と、本体とを有する鞄等にも用いることができる。
【００６０】
これまでに説明した本発明は、少なくとも以下のように整理することができる。
固定壁及び前記固定壁と対向する可動壁とのうちの一方である第１壁に取り付けられた表示装置であって、前記固定壁と前記可動壁とのうちの他方である第２壁に向かって延び、かつ、前記第２壁に進退可能に当接される当接部と、第１表示部及び第２表示部を有するインジケータと、前記第１及び第２表示部のうちの一方のみを露出させる表示窓と、開口と、操作具とを有し、前記固定壁と前記可動壁との対向状態において、前記表示窓から前記第１表示部が露出しており、対向状態において、前記開口から前記操作具を挿入して前記インジケータを可動すると、前記第２表示部が前記表示窓から露出し、前記表示窓から前記第２表示部が露出されている状態において、前記固定壁および前記可動壁を対向状態から非対向状態にすると、前記表示窓から前記第１表示部が露出し、その後、前記固定壁および前記可動壁を非対向状態から対向状態にしても前記表示窓から前記第１表示部が露出した状態が維持されることを特徴とする。
【００６１】
また、本発明には、少なくとも以下の実施態様がある。
（１）  縦方向と横方向と前後方向とを有し、前記開口及び前記表示窓を備える筐体と、前記筐体との間で内部空間を画定する蓋と、前記当接部を先端に有する軸部材とを備え、前記軸部材と前記蓋との間には、前記当接部が前記内部空間から突出するように付勢する第１バネを配置してある。
（２）  前記インジケータを有する表示板をさらに備え、前記表示板は、前記横方向に離隔する一対の凹部をさらに有し、前記開口は、前記縦方向へ延びる第１延出孔と、前記第１延出孔の一方の端部に位置して前記横方向へ延びる第２延出孔と、前記第１延出孔の他方の端部に位置して前記横方向へ延びる第３延出孔とによって画定され、前記操作具は、前記一対の凹部に係合し、前記横方向へ離隔する一対の突出部と、前記一対の突出部を連結する連結部と、前記連結部の前記横方向の中央に位置する基端部とを有し、前記表示窓から前記第１表示部が露出するときには、前記第２延出孔から前記一対の凹部が露出し、前記表示窓から前記第２表示部が露出するときには、前記第３延出孔から前記一対の凹部が露出し、前記表示窓から前記第２表示部を露出させるときには、前記第２延出孔に前記操作具の先端を挿入して前記操作具を前記縦方向へ移動させると前記基端部が前記第１延出孔を通過する。
（３）  前記軸部材は、さらに径外方向へ分岐する係合凸部を有し、前記表示板と前記筐体との間には、前記第１表示部が前記表示窓から露出するように前記表示板を付勢する第２バネを配置してあり、前記表示板は空間部を有し、前記表示板の前記空間部には、前記縦方向において互いに隣接する第１係合凹部及び第２係合凹部と、前記第１及び第２係合凹部を画定する隔壁部とを有し、前記横方向へ移動可能な移動部材を配置し、前記第１係合凹部及び前記第２係合凹部のいずれか一方には、前記係合凸部が係合し、前記移動部材と前記表示板との間には、前記移動部材が前記係合凸部に近接するように付勢する第３バネを配置し、前記対向状態において、前記開口から前記操作具を挿入して前記第３バネの付勢力に抗して前記インジケータを可動したときには、前記係合凸部と前記第２係合凹部とが係合するとともに、前記表示窓から前記第２表示部が露出する。
（４）  前記軸部材と前記蓋との間には、前記軸部材が前記横方向のみの移動するための係合板と、前記係合板に係合する係合凹部とを形成してある。
（５）  前記係合凸部と前記隔壁部の少なくとも一方は、前記表示窓から前記第１表示部が露出している状態で前記操作具によって前記インジケータを可動するとき、傾斜する態様で当接する傾斜当接部を有する。
【符号の説明】
【００６２】
４      固定壁（第１及び第２壁）
５      可動壁（第１及び第２壁）
１０    表示装置
１１    内部空間
１２    第１バネ
１３    第２バネ
１４    第３バネ
２０    筐体
２３    表示窓
２４    開口
２４ａ  第１延出孔
２４ｂ  第２延出孔
２４ｃ  第３延出孔
３０    蓋
３３    係合凹部
４０    軸部材
４２    係合凸部
４２ａ  傾斜当接部
４３    係合板（係合部）
４４    当接部
５０    表示板
５１    第１表示部
５２    第２表示部
５３    インジケータ
５４ａ  凹部
５４ｂ  凹部
５５    空間部
６０    移動部材
６１    第１係合凹部
６２    第２係合凹部
６３    隔壁部
７０    操作具
７１ａ  突出部
７１ｂ  突出部
７２    連結部
７３    基端部
Ｘ      横方向
Ｙ      縦方向
Ｚ      前後方向
【図１】
0006352965.tif 000002
【図２】
0006352965.tif 000003
【図３】
0006352965.tif 000004
【図４】
0006352965.tif 000005
【図５】
0006352965.tif 000006
【図６】
0006352965.tif 000007
【図７】
0006352965.tif 000008
【図８】
0006352965.tif 000009
【図９】
0006352965.tif 000010
【図１０】
0006352965.tif 000011
【図１１】
0006352965.tif 000012
【図１２】
0006352965.tif 000013
【図１３】
0006352965.tif 000014
【図１４】
0006352965.tif 000015
【図１５】
0006352965.tif 000016
【図１６】
0006352965.tif 000017
【図１７】
0006352965.tif 000018
【図１８】
0006352965.tif 000019
【図１９】
0006352965.tif 000020
【図２０】
0006352965.tif 000021
【図２１】
0006352965.tif 000022
【図２２】
0006352965.tif 000023